(57)【要約】  本発明は、配管路や圧力式流量制御装置等で使用するガスケット一体型オリフィスプレートの耐食性を高めると共に、シールレベルの向上及びシール性能安定化をはかり、且つガスケット一体型オリフィスプレートの製造コストの削減及びガスケット一体型オリフィスプレートの分解や組立、取り換等を簡単に行えるようにする。  本発明は、嵌合用突部２ｂを備え且つ中心部に貫通状の通路２ａを設けた第１のオリフィスベース２と、嵌合用凹部３ｂを備え且つ中心部に前記第１のオリフィスベース２の通路２ａに連通する貫通状の通路３ａを設けた第２のオリフィスベース３とを組合せ、両者２，３の端面間にセラミック製オリフィスプレート４を気密状に挿着すると共に、両オリフィスベース２、３の外側端面をガスケットのシール面２c、３cとする。
2014119265.tif 000002
【特許請求の範囲】
【請求項１】
嵌合用突部を備え且つ中心部に貫通状の通路を設けた第1のオリフィスベースと、嵌合用凹部を備え且つ中心部に前記第１のオリフィスベースの通路に連通する貫通状の通路を設けた第２のオリフィスベースとを組合せ、前記第１のオリフィスベースと前記第２のオリフィスベースの端面間にセラミック製オリフィスプレートを気密状に挿着すると共に、前記第１のオリフィスベース及び前記第２のオリフィスベースの其々の外側端面をガスケットのシール面としたことを特徴とするガスケット一体型セラミックオリフィスプレート。
【請求項２】
前記第１及び第２のオリフィスベースのうちの一方のオリフィスベースの外径を他方のオリフィスベースの外径よりも大径とすると共に、当該一方のオリフィスベースの内側端面の外周縁部分をシール面とした請求項１に記載のガスケット一体型セラミックオリフィスプレート。
【請求項３】
前記セラミック製オリフィスプレートを、前記第１のオリフィスベースの通路及び前記第２のオリフィスベースの通路に連通するオリフィスを中心に有し、前記第１のオリフィスベースの嵌合用突部と前記第２のオリフィスベースの嵌合用凹部との間に気密状に挿着した請求項１に記載のガスケット一体型セラミックオリフィスプレート。
【請求項４】
前記セラミック製オリフィスプレートをジルコニアを含有するセラミック製とし、その厚みを５００〜１０００μｍ、孔径を１０〜５００μｍとすると共に、前記嵌合用突部を前記嵌合用凹部内へ６〜１０ｋＮの圧入力により圧入し、前記嵌合用突部と前記嵌合用凹部との間に前記セラミック製オリフィスプレートを気密状に挿着した請求項３に記載のガスケット一体型セラミックオリフィスプレート。
【請求項５】
円形状の前記セラミック製オリフィスプレートの両面を研磨鏡面とすると共に、該セラミック製オリフィスプレートに当接する前記嵌合用突部及び前記嵌合用凹部の接触面を研磨鏡面とした請求項４に記載のガスケット一体型セラミックオリフィスプレート。
【請求項６】
内側端面に嵌合用突部を備え中心部に貫通状の通路を有する第１のオリフィスベースと、内側端面に嵌合用凹部を備え中心部に貫通状の通路を有する第２のオリフィスベースと、中心部に前記第１及び第２のオリフィスベースの通路に連通する貫通状の通路を有し、一端面に前記第１のオリフィスベースの嵌合用突部が気密状に嵌合される嵌合用凹部を備えると共に、他端面に前記第２のオリフィスベースの嵌合用凹部に気密状に嵌合される嵌合用突部を備えた中間オリフィスベースと、前記第１のオリフィスベースと前記中間オリフィスベースとの間に気密状に挿着され中心部にオリフィスが形成された第１のセラミック製オリフィスプレートと、前記中間オリフィスベースと前記第２のオリフィスベースとの間に気密状に挿着され中心部にオリフィスが形成された第２のセラミック製オリフィスプレートとを備え、流体通路に配設されて前記第１及び第２のオリフィスベースの外側端面を夫々シール面とすると共に、前記第１及び第２のオリフィスベースのうちの一方のオリフィスベースの外径を他方のオリフィスベース及び前記中間オリフィスベースの外径よりも大径にして該一方のオリフィスベースの内側端面の外周縁部分をシール面とし、又、前記中間オリフィスベースに該中間オリフィスベースの通路に連通する分流通路を形成したことを特徴とするガスケット一体型セラミックオリフィスプレート。
【請求項７】
前記第１のセラミック製オリフィスプレートを、中心部に前記第１のオリフィスベースの通路及び前記中間オリフィスベースの通路に連通するオリフィスを有し、前記第１のオリフィスベースの嵌合用突部と前記中間オリフィスベースの嵌合用凹部との間に気密状に挿着した請求項６に記載のガスケット一体型セラミックオリフィスプレート。
【請求項８】
前記第２のセラミック製オリフィスプレートを、中心部に前記中間オリフィスベースの通路及び凹形の前記第２のオリフィスベースの通路に連通するオリフィスを有し、前記中間オリフィスベースの嵌合用突部と凹形の前記第２のオリフィスベースの嵌合用凹部との間に気密状に挿着した請求項６に記載のガスケット一体型セラミックオリフィスプレート。
【請求項９】
前記第１のセラミック製オリフィスプレートをジルコニアを含有するセラミック製とし、その厚みを５００〜１０００μｍ、孔径を１０〜５００μｍとすると共に、前記第１のオリフィスベースの嵌合用突部を前記中間オリフィスベースの嵌合用凹部内へ６〜１０ｋＮの圧入力により圧入し、前記第１のオリフィスベースの嵌合用突部と前記中間オリフィスベースの嵌合用凹部との間に前記第１のセラミック製オリフィスプレートを気密状に挿着した請求項７に記載のガスケット一体型セラミックオリフィスプレート。
【請求項１０】
前記第２のセラミック製オリフィスプレートをジルコニアを含有するセラミック製とし、その厚みを５００〜１０００μｍ、孔径を１０〜５００μｍとすると共に、前記中間オリフィスベースの嵌合用突部を前記第２のオリフィスベースの嵌合用凹部内へ６〜１０ｋＮの圧入力により圧入し、前記中間オリフィスベースの嵌合用突部と前記第２のオリフィスベースの嵌合用凹部との間に前記第２のセラミック製オリフィスプレートを気密状に挿着した請求項８に記載のガスケット一体型セラミックオリフィスプレート。
【請求項１１】
前記第１及び第２のオリフィスプレートのうち、上流側に位置するオリフィスプレートのオリフィスを下流側に位置するオリフィスプレートのオリフィスより小径にした請求項６に記載のガスケット一体型セラミックオリフィスプレート。
【請求項１２】
円形状の前記第１及び第２のセラミック製オリフィスプレートの其々の両面を研磨鏡面とすると共に、該第１及び第２のセラミック製オリフィスプレートに当接する前記第１のオリフィスベースの嵌合用突部及び前記第２のオリフィスベースの嵌合用凹部の接触面を研磨鏡面とした請求項６に記載のガスケット一体型セラミックオリフィスプレート。
【請求項１３】
両側面に嵌合用凹部を備え且つ中心部に貫通状の通路を有する第３のオリフィスベースと、嵌合用突部を備え且つ中心部に貫通状の通路を有すると共に、前記両嵌合用凹部内へ対向状に挿入する第４のオリフィスベース及び第５のオリフィスベースと、前記第３のオリフィスベースの通路内へ装着したセラミック製オリフィスプレートとを備え、前記嵌合用凹部内へ圧入した前記第４及び第５のオリフィスベースの先端面間で、前記第３のオリフィスベースの通路内へ装着した前記セラミック製オリフィスプレートを気密状に挟着すると共に、前記第４及び第５のオリフィスベースの外側端面をガスケットのシール面としたことを特徴とするガスケット一体型セラミックオリフィスプレート。
【請求項１４】
前記第４及び第５のオリフィスベースの前記嵌合用突部の外周面に環状突起を設けると共に、該嵌合用突部の先端面に環状突起を設け、前記嵌合用突部の外周面の環状突起により前記嵌合用突部と前記嵌合用凹部との間の気密性を高めると共に、前記嵌合用突部の先端面の環状突起により前記嵌合用突部と前記セラミック製オリフィスプレートとの間の気密性を高める構成とした請求項１３に記載のガスケット一体型セラミックオリフィスプレート。
【請求項１５】
前記セラミック製オリフィスプレートを厚い円盤状のジルコニアを含有するセラミック製とすると共に、前記両嵌合用突部を前記両嵌合用凹部内へ６〜１０ｋＮの圧入力により圧入し、前記両嵌合用突部の先端面間に前記セラミック製オリフィスプレートを気密状に挿着した請求項１３に記載のガスケット一体型セラミックオリフィスプレート。
【発明の詳細な説明】
【技術分野】
【０００１】
本発明は、流量制御装置等に使用するガスケット一体型オリフィスプレートの改良に関する。より具体的には、金属薄板製オリフィスプレートに代えて高精度な孔径を有するセラミック薄板製オリフィスプレートを用いた高耐食性のガスケット一体型セラミックオリフィスプレートに関する。
【背景技術】
【０００２】
従前から、オリフィスプレートとしては、金属薄板に機械加工等によってオリフィスを穿設し、このオリフィスを穿設した金属薄板を、配管路の継手部や機器と管路の接続部等の適宜箇所に於いて管路内へ挟み込み、直接にこれを締付け固定する構造のものが多く使用されて来た。
しかし、上記のように直接に締付け固定する形式のオリフィスプレートは、締付け時に金属薄板が変形することがあるため、金属薄板の厚さを大幅に小さくすることができない。そのため、所望の形態及び孔径を得やすい薄板を用いて、高精度な流量特性のオリフィスプレートを容易に製造することができないと云う問題がある。【０００３】
本願出願人は、先に、嵌合用突部を有するオリフィスベースと嵌合用凹部を有するオリフィスベースの内側端面の間に厚さ５００〜１０００μｍの極薄金属板を気密状に挟着すると共に、両オリフィスベースの外側端面をガスケットのシール面とした構成のガスケット一体型オリフィスプレートを開発し、これを公開している（特開２００７−０５７４７４号、特開２０１０−１５１６９８号）。【０００４】
図１６乃至図１８は、上記極薄金属板を用いたガスケット一体型オリフィスプレート３８の一例を示すものであり、嵌合用突部３８ａ１を備えたオリフィスベース３８ａと嵌合用凹部３８ｂ１を備えたオリフィスベース３８ｂとを組合せ、両者の内側端面間に金属薄板製のオリフィスプレート３８ｃを気密状に挟着すると共に、両オリフィスベース３８ａ、３８ｂの両端面３８ａ３、３８ｂ３または３８ａ４、３８ｂ４をガスケットのシール面としたものである。【０００５】
また、図１８は、嵌合用凹部３８ｂ１を備えたオリフィスベース３８ｂの外径を嵌合用突部３８ａ１を備えたオリフィスベース３８ａの外径よりも大とすると共にその外周部の内側端面３８dをもシール面としたものである。【０００６】
即ち、当該ガスケット一体型オリフィスプレート３８は、例えば図１８に示すように、バルブボディ７の下流側端面に形成したオリフィス収納用凹所７ｃ内へ挿入され、出口側ブロック１０をバルブボディ７へ押し圧固定することにより、各シール面３８ａ３,３８ｂ３,３８ｄにてガスケット一体型オリフィスプレートの機密性が保持されている。
尚、図１８に於いて、７ｄ、７ｅ、１０ｄは各シール面へ食い込んでシール機能を高めるための環状突起である。【０００７】
上記図１６及び図１８のガスケット一体型オリフィスプレート３８は、オリフィスプレート３８ｃを両オリフィスベース３８ａ、３８ｂ間に気密状に嵌合挟着させる構成としているため、極薄い金属プレート或いは金属皮膜であっても変形等を生ずることなく両オリフィスベース３８ａ、３８ｂ間に挟持することがでる。そのため、高精度なオリフィスを有するオリフィスプレート３８ｃの使用が可能になると共に、両オリフィスベースの外側端をシール面として利用することにより、ガスケット一体型オリフィスプレート３８そのものをガスケットとして緊密に管路等へ締込み固定することができ、優れた実用的効用を奏するものである。【０００８】
また、図１８のガスケット一体型オリフィスプレート３８は、凸形のオリフィスベース３８aの外側端面３８a３と凹形のオリフィスベース３８bの外側端面３８b３及び内側端面の外周部３８ｄを夫々シール面としているため、ガスケット一体型オリフィスプレートを緊密に流体通路に締め込み固定することができると共に、三個所のシール面に依ってより高いシール性が得られ、加えて、前記シール面３８ｄによりオリフィスプレート３８cのシール部からの外部へのリークを完全に防止することができる等の優れた効用が得られる。【０００９】
上述のように、図１６〜図１８のガスケット一体型オリフィスプレート３８は、多くの優れた効用を奏するものであるが、未だ多くの解決すべき問題が残されている。その中でも、金属製オリフスプレート３８cの腐食によってオリフィスの形態が変化することにより、流量特性が変動するのを防止することが緊急の課題となっている。【００１０】
即ち、上記ガスケット一体型オリフィスプレート３８では、オリフィスの径寸法や孔形状の精度を高めるため、厚さ３０〜１０００μｍの極薄金属板（例えば、SUS316L-P(Wメルト)や不純物の少ないNKクリーンZ等）を用い、内径１０〜５００μｍの円形孔を形成するようにしている。
そのため、オリフィスプレート３８ｃが流体の接触流動により比較的容易に腐食若しくは浸食されることになり、特に、流体がオゾン含有ガスや塩素含有ガス、臭化水素含有ガス等の腐食性ガスの場合には、オリフィスの径や形態が大きく変化することになり、流量制御装置等に用いるガスケット一体型オリフィスプレート３８の場合には、流量制御装置の流量制御精度が大幅に低下する等の不都合が生じることになる。【００１１】
また、ガスケット一体型オリフィスプレート３８の交換頻度が必然的に増すことになり、その交換に多くの手数を必要として補修コストの高騰を招くと云う問題がある。
【先行技術文献】
【特許文献】
【００１２】
【特許文献１】特開２００７−０５７４７４号公報
【特許文献２】特開２０１０−１５１６９８号公報
【発明の開示】
【発明が解決しようとする課題】
【００１３】
本発明は、従前のガスケット一体型オリフィスプレートに於ける上述のような問題、即ち、（Ｉ）所定の孔径及び形態を有する流量特性の安定したオリフィスを得るため、極薄金属板製オリフィスプレートを使用する構成としている。そのため、オリフィスプレートの耐食性が相対的に低く、腐食性ガスの場合には、ガスケット一体型オリフィスプレートの交換頻度が大幅に高くなると共に、流量制御装置等に用いた場合には、高精度な流量制御が行なえないこと、（ＩＩ） ガスケット一体型オリフィスプレートの交換頻度が増すことにより、補修コストの高騰を招くこと、等の問題を解決せんとするものであり、金属薄板製オリフィスプレートに代えてセラミック製オリフィスプレートを用いることにより、オリフィスプレートの耐食性を大幅に高めて高精度で安定した流量特性が得られ、且つ流体通路内へ簡単にリークフリーで挿着固定することができ、しかも、安価に製造できるようにしたガスケット一体型オリフィスプレートを提供することを発明の主目的とするものである。
【課題を解決するための手段】
【００１４】
上記目的を達成するため、本発明に係るガスケット一体型セラミックオリフィスプレートは、第１の側面として、嵌合用突部を備え且つ中心部に貫通状の通路を設けた第１のオリフィスベースと、嵌合用凹部を備え且つ中心部に前記第１のオリフィスベースの通路に連通する貫通状の通路を設けた第２のオリフィスベースとを組合せ、前記第１のオリフィスベースと第２のオリフィスベースの端面間にセラミック製オリフィスプレートを気密状に挿着すると共に、前記第１のオリフィスベース及び第２のオリフィスベースの其々の外側端面をガスケットのシール面としている。【００１５】
前記第１及び第２のオリフィスベースのうちの一方のオリフィスベースの外径を他方のオリフィスベースの外径よりも大径とすると共に、当該一方のオリフィスベースの内側端面の外周縁部分をシール面としてもよい。【００１６】
前記セラミック製オリフィスプレートを、前記第１のオリフィスベースの通路及び前記第２のオリフィスベースの通路に連通するオリフィスを中心に有し、前記第１のオリフィスベースの嵌合用突部と前記第２のオリフィスベースの嵌合用凹部との間に気密状に挿着してもよい。【００１７】
前記セラミック製オリフィスプレートを、ジルコニアを含有するセラミック製とし、その厚みを５００〜１０００μｍ、孔径を１０〜５００μｍとすると共に、前記嵌合用突部を前記嵌合用凹部内へ６ｋＮ〜１０ｋＮの圧入力により圧入し、前記嵌合用突部と前記嵌合用凹部との間に前記セラミック製オリフィスプレートを気密状に挿着してもよい。【００１８】
円形状の前記セラミック製オリフィスプレートの両面を研磨鏡面とすると共に、該セラミック製オリフィスプレートに当接する前記嵌合用突部及び前記嵌合用凹部の接触面を研磨鏡面としてもよい。【００１９】
また、本発明に係るガスケット一体型セラミックオリフィスプレートは、第２の側面として、内側端面に嵌合用突部を備え中心部に貫通状の通路を有する第１のオリフィスベースと、内側端面に嵌合用凹部を備え中心部に貫通状の通路を有する第２のオリフィスベースと、中心部に前記第１及び第２のオリフィスベースの通路に連通する貫通状の通路を有し、一端面に前記第１のオリフィスベースの嵌合用突部が気密状に嵌合される嵌合用凹部を備えると共に、他端面に前記第２のオリフィスベースの嵌合用凹部に気密状に嵌合される嵌合用突部を備えた中間オリフィスベースと、前記第１のオリフィスベースと前記中間オリフィスベースとの間に気密状に挿着され中心部にオリフィスが形成された第１のセラミック製オリフィスプレートと、前記中間オリフィスベースと前記第２のオリフィスベースとの間に気密状に挿着され中心部にオリフィスが形成された第２のセラミック製オリフィスプレートと、を備え、流体通路に配設されて前記第１及び第２のオリフィスベースの外側端面を夫々シール面とすると共に、前記第１及び第２のオリフィスベースのうちの一方のオリフィスベースの外径を他方のオリフィスベース及び前記中間オリフィスベースの外径よりも大径にして該一方のオリフィスベースの内側端面の外周縁部分をシール面とし、又、前記中間オリフィスベースに該中間オリフィスベースの前記通路に連通する分流通路５ｄを形成している。【００２０】
前記第２のセラミック製オリフィスプレートを、中心部に前記第１のオリフィスベースの通路及び前記中間オリフィスベースの通路に連通するオリフィスを形成し、前記第１のオリフィスベースの嵌合用突部と前記中間オリフィスベースの嵌合用凹部との間に気密状に挿着してもよい。【００２１】
前記第２のセラミック製オリフィスプレートを、中心部に前記中間オリフィスベースの通路及び前記第２のオリフィスベースの通路に連通するオリフィスを形成し、前記中間オリフィスベースの嵌合用突部と凹形の前記第２のオリフィスベースの嵌合用凹部との間に気密状に挿着してもよい。【００２２】
前記第１のセラミック製オリフィスプレートをジルコニアを含有するセラミック製とし、その厚みを５００〜１０００μｍ、孔径を１０〜５００μｍとすると共に、前記第１のオリフィスベースの嵌合用突部を前記第２のオリフィスベースの嵌合用凹部内へ６〜１０ｋＮの圧入力により圧入し、前記第１のオリフィスベースの嵌合用突部と前記中間オリフィスベースの嵌合用凹部との間に前記第１のセラミック製オリフィスプレートを気密状に挿着してもよい。【００２３】
前記第２のセラミック製オリフィスプレートをジルコニアを含有するセラミック製とし、その厚みを５００〜１０００μｍ、孔径を１０〜５００μｍとすると共に、前記中間オリフィスベースの嵌合用突部を前記第２のオリフィスベースの嵌合用凹部内へ６〜１０ｋＮの圧入力により圧入し、前記中間オリフィスベースの嵌合用突部と前記第２のオリフィスベースの嵌合用凹部との間に前記第２のセラミック製オリフィスプレートを気密状に挿着するようにしたものである。【００２４】
本発明の前記第２の側面において、前記第１及び第２のオリフィスプレートのうち、上流側に位置するオリフィスプレートのオリフィスを下流側に位置するオリフィスプレートのオリフィスより小径としてもよい。【００２５】
本発明の前記第２の側面において、円形状の前記第１及び第２のセラミック製オリフィスプレートの其々の両面を研磨鏡面とすると共に、該第１及び第２のセラミック製オリフィスプレートに当接する前記第１のオリフィスベースの嵌合用突部及び前記第２のオリフィスベースの嵌合用凹部の接触面を研磨鏡面としてもよい。【００２６】
更に、本発明に係るガスケット一体型オリフィスプレートは、第３の側面として、両側面に嵌合用凹部を備え且つ中心部に貫通状の通路を有する第３のオリフィスベースと、嵌合用突部を備え且つ中心部に貫通状の通路を有すると共に、前記両嵌合用凹部内へ対向状に挿入する第４のオリフィスベース及び第５のオリフィスベースと、前記第３のオリフィスベースの通路内へ装着したセラミック製オリフィスプレートとを備え、前記嵌合用凹部内へ圧入した前記前記第４及び第５のオリフィスベースの先端面間で、前記第３のオリフィスベースの通路内へ装着した前記セラミック製オリフィスプレートを気密状に挟着すると共に、前記第４及び第５のオリフィスベースの外側端面をガスケットのシール面としている。【００２７】
本発明の前記第３の側面において、前記第４及び第５のオリフィスベースの前記嵌合用突部の外周面に環状突起を設けると共に、前記嵌合用突部の先端面に環状突起を設け、前記嵌合用凸部の外周面の環状突起により前記嵌合用突部と前記嵌合用凹部との間の気密性を高めると共に、前記嵌合用突部の先端面の環状突起により前記嵌合用突部と前記セラミック製オリフィスプレートとの間の気密性を高める構成としてもよい。【００２８】
本発明の前記第３の側面において、前記セラミック製オリフィスプレートを厚い円盤状のジルコニアを含有するセラミック製とすると共に、前記両嵌合用突部を前記両嵌合用凹部内へ６〜１０ｋＮの圧入力により圧入し、前記両嵌合用突部の先端面間に前記セラミック製オリフィスプレートを気密状に挿着してよい。
【発明の効果】
【００２９】
本発明の第１の側面では、セラミック製オリフィスプレートを第１のオリフィスベースと第２のオリフィスベースとの間に気密状に嵌合密接させることにより、ガスケット一体型セラミックオリフィスプレートを構成している。その結果、セラミック製オリフィスプレートの耐食性が大幅に向上すると共に、極薄いセラミック製オリフィスプレートであっても、変形等を生ずることなしに両オリフィスベース間に挟持することができ、高精度なオリフィスを有するガスケット一体型セラミックオリフィスプレートを形成することが出来る。
また、前記第１及び第２のオリフィスベースの外側端面、又は、前記第１及び第２のオリフィスベースの外側端面と前記第１及び第２のオリフィスベースの一方のオリフィスベースの内側端面外周部をシール面として利用することにより、オリフィスベースをガスケットとして緊密に管路等へ締込み固定することができる。【００３０】
また、本発明の第１の側面の一実施形態では、第1のオリフィスベースの嵌合用突部と第２のオリフィスベースの嵌合用凹部の間に厚み５００〜１０００μｍ、孔径１０〜５００μｍのセラミック製オリフィスプレートを挿着し、前記嵌合用突部を前記嵌合用凹部内へ６ｋＮ〜１０ｋＮの圧入力により圧入し、両者の間にセラミック製オリフィスプレートを気密に挟持すると共に、該セラミック製オリフィスプレートの両面及びセラミック製オリフィスプレートに当接する嵌合用突部と嵌合用凹部の接触面を夫々研磨鏡面とする構成としている。
その結果、高精度なオリフィスを有する耐食性に優れたガスケット一体型セラミックオリフィスプレートが容易に製作できると共に、セラミック製オリフィスプレートと嵌合用突部及び嵌合用凹部の接触面や、嵌合用突部と嵌合用凹部の接触面からのリークをほぼ皆無にしたガスケット一体型セラミックオリフィスプレートの製作が可能となる。【００３１】
更に、本発明の第２の側面では、第１のオリフィスベースと第２のオリフィスベースの間に、一端面に前記第１のオリフィスベースの嵌合用突部に嵌合される嵌合用凹部を、また、他端面に前記第２のオリフィスベースの嵌合用凹部に嵌合される嵌合用突部を夫々備えた中間オリフィスベースを設け、前記第１のオリフィスベースの嵌合用突部と前記中間オリフィスベースの嵌合用凹部との間に第１のセラミック製オリフィスプレートを、また、前記第２のオリフィスベースの嵌合用凹部と前記中間オリフィスベースの嵌合用突部との間に第２のセラミック製オリフィスプレートを設けると共に、前記中間オリフィスベースの通路に連通する分流通路を形成した構成としている。
その結果、第１のセラミック製オリフィスプレートと第２のセラミック製オリフィスプレートの其々の孔径を違えると共に、前記通路への流体供給を制御することにより、複数の流量特性を有するガスケット一体型セラミックオリフィスプレートとすることができる。【００３２】
本発明の第３の側面では、両側面に嵌合用凹部を備え且つ中心部に貫通状の通路を有する第３のオリフィスベースと、嵌合用突部を備え且つ中心部に貫通状の通路を有すると共に、前記両嵌合用凹部内へ対向状に挿入する第４のオリフィスベース及び第５のオリフィスベースと、前記第３のオリフィスベースの通路内へ装着したセラミック製オリフィスプレートとからガスケット一体型セラミックオリフィスプレートを形成しているため、２種類の部材でもって比較的厚いセラミックプレートを用いたガスケット一体型セラミックオリフィスプレートを形成することができ、構造の簡素化及び製造コストの引下げが可能となる。【００３３】
加えて、本発明のガスケット一体型セラミックオリフィスプレートは、これを圧力式流量制御装置等に使用したときにはオリフィスプレートの交換が極めて容易に行えると共に、オリフィスプレートの取付における気密性の確保や変形防止が略完全に行えると共に、セラミック製オリフィスプレートが高耐食性であるため、高精度な流量制御が行える。
【図面の簡単な説明】
【００３４】
【図１】本発明係るガスケット一体型セラミックオリフィスプレートの一実施形態を示す断面図である。
【図２】図１のガスケット一体型セラミックオリフィスプレートの組立て前の構成を示す断面図である。
【図３】本発明に係るガスケット一体型セラミックオリフィスプレートの第２実施形態を示す断面図である。
【図４】図２のガスケット一体型セラミックオリフィスプレートの組立て前の構成を示す断面図である。
【図５】図２のガスケット一体型セラミックオリフィスプレートを使用した圧力式流量制御装置の断面図である。
【図６】図５のガスケット一体型セラミックオリフィスプレートの取付部の部分断面図である。
【図７】リーク試験用のガスケット一体型セラミックオリフィスプレートの拡大断面図である。
【図８】リーク検査用冶具の説明図である。
【図９】リーク試験後に分解したオリフィスベースの嵌合用突部の端面の状態を示す拡大写真である。
【図１０】リーク試験後に分解したオリフィスベースの嵌合用凹部の底面の状態を示す拡大写真である。
【図１１】リーク試験後に分解したセラミックオリフィスプレートの表面状態を示す拡大写真である。
【図１２】使用前のセラミックオリフィスプレートの鏡面研磨後の窪みの状態を示す拡大写真である。
【図１３】使用前の鏡面研磨後に選別した材料窪みの無いセラミックオリフィスプレートの拡大写真である。
【図１４】本発明に係るガスケット一体型セラミックオリフィスプレートの第３実施形態を示す断面図である。
【図１５】本発明係るガスケット一体型セラミックオリフィスプレートの第３実施形態の組立て前の構成を示す断面図である。
【図１６】従来のガスケット一体型オリフィスプレートの断面図である。
【図１７】従来のガスケット一体型オリフィスプレートの組立て前の断面図である。
【図１８】従来のガスケット一体型オリフィスプレートの他の例を示す断面図である。
【発明を実施するための形態】
【００３５】
以下、本発明の実施の形態を図面に基づいて詳細に説明する。
図１及び図２は、本発明に係るガスケット一体型セラミックオリフィスプレートの第１実施形態を示す。また、図３及び図４は、本発明に係るガスケット一体型セラミックオリフィスプレートの第２実施形態を示すものである。更に、図５は、図３のガスケット一体型セラミックオリフィスプレートを用いた圧力式流量制御装置を示すものであり、図６は、図５のガスケット一体型セラミックオリフィスプレートの挿着部の部分拡大図である。
【００３６】
尚、図１に示した第１実施形態のガスケット一体型セラミックオリフィスプレート１と、図３に示した第２実施形態のガスケット一体型セラミックオリフィスプレート１とは、下流側の第２のオリフィスベース３の形態が若干異なるだけである。また、図１の第１実施形態のガスケット一体型セラミックオリフィスプレート１及び図３のガスケット一体型セラミックオリフィスプレート１は、オリフィスプレート４の材質が異なる点を除いてその他の構成が、従前の図１５及び図１７に示したガスケット一体型オリフィスプレートと実質的に同じである。
従って、ここでは、図３及び図４に記載の第２実施形態のガスケット一体型セラミックオリフィスプレート１に基づいて、本願発明の実施形態を説明する。
【００３７】
ガスケット一体型セラミックオリフィスプレート１は、図１乃至図４に示す如く、中心部に貫通状の通路２ａを有し、内側端面に嵌合用突部２ｂを備えた凸形の第１のオリフィスベース２と、第１のオリフィスベース２より大径で中心部に貫通状の通路３ａを有し、内側端面に嵌合用凹部３ｂを備えた凹形の第２のオリフィスベース３と、中心部にオリフィス（図示省略）を形成したセラミック製オリフィスプレート４とから成り、凸形の第１のオリフィスベース２と凹形の第２のオリフィスベース３とを組み合わせ、両オリフィスベース２、３間にセラミック製オリフィスプレート４を気密に挿着固定すると共に、両オリフィスベース２、３の両外側端面及び片方の第２のオリフィスベース３の内側端面をガスケット一体型オリフィスプレート１のシール面２ｃ、３ｃ、３ｄとし、セラミック製オリフィスプレート４のシール部からの外部へのリークを防止する構成としたものである。
【００３８】
具体的には、凸形の第１のオリフィスベース２は、図４に示す如く、ステンレス材（ＳＵＳ３１６Ｌ−Ｐ（Ｗメルト））により縦断面形状が凸形の短い円柱状に形成されており、その中心部には内周面が段付に形成された貫通状の通路２ａが形成されている。
又、凸形の第１のオリフィスベース２の内側端面（凹形の第２のオリフィスベース３に対向する端面）には、外周面が段付に形成された筒状の嵌合用突部２ｂが通路２ａと同心状に突出形成されている。この嵌合用突部２ｂの大径側の外周面及び嵌合用突部２ｂの端面には、凹形の第２のオリフィスベース３との組合時にシール機能を発揮する環状突起２ｄ，２ｄ′（図４参照）が夫々形成されている。
更に、凸形の第１のオリフィスベース２は、環状に形成された外側端面がガスケット一体型セラミックオリフィスプレート１のシール面２ｃとしての機能を果たすようになっている。
【００３９】
凹形の第２のオリフィスベース３は、図４に示す如く、ステンレス材（ＳＵＳ３１６Ｌ−Ｐ（Ｗメルト））により縦断面形状が凹形の厚肉円盤状に形成されており、その中心部には凸形の第１のオリフィスベース２の通路２ａに連通する貫通状の通路３ａが形成されている。
又、凹形の第２のオリフィスベース３の内側端面（凸形のオリフィスベース２に対向する端面）には、凸形の第１のオリフィスベース２の嵌合用突部２ｂが気密状に嵌合される嵌合用凹部３ｂが通路３ａと同心状に形成されている。この嵌合用凹部３ｂの内周面は、凸形の第１のオリフィスベース２の嵌合用突部２ｂが気密状に嵌合されるように段付の内周面に形成されている。この嵌合用凹部３ｂの端面には、凸形の第１のオリフィスベース２との組合時に、セラミック製オリフィスプレート４を、第１のオリフィスベース２の環状突起２ｄ′との間で狭持してシール機能を発揮するよう配置された環状突起３ｆ（図４参照）が形成されている。
【００４０】
更に、嵌合用突部２ｂを受入れる嵌合用凹部３ｂを設けた第２のオリフィスベース３の外側端面には、円形の凹所３ｅが通路３ａと同心状に形成されており、凹形の第２のオリフィスベース３の外側端面に形成した凹所３ｅの底面がガスケット一体型オリフィスプレート１のシール面３ｃとしての機能を果たすようになっている。凹所３ｅは、ガスケット一体型オリフィスプレート１の位置合わせ（軸心合わせ）を容易にすると共に、シール面３ｃを保護するためのものである。
【００４１】
尚、後述するセラミック製オリフィスプレート４に当接する嵌合用突部２ｂ及び嵌合用凹部３ｂの底面は、電解研磨等により所謂研磨鏡面に仕上げられている。
また、第２実施形態の場合は、第１のオリフィスベース２、第２のオリフィスベース３のうち、下流側に位置する第２のオリフィスベース３は、その外径が上流側に位置する第１のオリフィスベース２の外径よりも大径に形成されており、下流側に位置する第２のオリフィスベース３の内側端面の外周縁部分がガスケット一体型オリフィスプレート１のシール面３ｄとしての機能を果たすようになっている。
【００４２】
上記第２実施形態に於いては、下流側に位置する凹形の第２のオリフィスベース３の外径を上流側に位置する凸形の第１のオリフィスベース２の外径よりも大径に形成し、凹形の第２のオリフィスベース３の内側端面の外周縁部分をガスケット一体型オリフィスプレート１のシール面３ｄとするようにしているが、第２のオリフィスベース３の外径を第１のオリフィスベース２の外径と同径として、シール面３ｄを省略することも可能であり、当該構成としたものが、図１及び図２に示した第１実施形態のガスケット一体型セラミックオリフィスプレートである。
【００４３】
セラミック製オリフィスプレート４は、ジルコニアを含有するセラミック材により極薄の円形板に形成されており、その中心部には第１のオリフィスベース２，第２のオリフィスベース３の通路２ａ，３ａに連通する所望の内径のオリフィス（図示省略）が形成されている。このセラミック製オリフィスプレート４の大きさは、凹形の第２のオリフィスベース３の嵌合用凹部３ｂの小径部分に収容できる大きさに設定されている。
尚、セラミック製オリフィスプレート４の形状は、円形であっても、或いは他の形状であっても良い。
【００４４】
尚、本第１及び第２実施形態においては、セラミック製オリフィスプレート４の厚みを５００〜１０００μｍ、孔径（オリフィス径）を１０〜５００μｍとすると共に、その両外表面は、ラッピング研磨等により鏡面に研磨仕上げされており、嵌合用突部２ｂを嵌合用凹部３ｂ内へ６ｋＮ〜１０ｋＮの圧入力で圧入することにより、嵌合用突部２ｂと嵌合用凹部３ｂ間に挟持されている。
【００４５】
具体的には、凹形の第２のオリフィスベース３の嵌合用凹部３ｂ内にセラミック製オリフィスプレート４を収容し、凸形の第１のオリフィスベース２の嵌合用突部２ｂを凹形の第２のオリフィスベース３の嵌合用凹部３ｂ内へ推力約９ｋＮのプレス機により圧入して両オリフィスベース２、３を気密状に一体化することにより、ガスケット一体型セラミックオリフィスプレートが形成されている。
このとき、嵌合用突部２ｂの外周面が嵌合用凹部３ｂの内周面に気密状に密接すると共に、セラミック製オリフィスプレート４の両面が第１のオリフィスベース２の環状突起２ｄ′と第２のオリフィスベース３の環状突起３ｆの間で狭持されることによって両オリフィスベース２，３の内側端面間にセラミック製オリフィスプレート４が挿着保持されるため、より良好なシール性が確保されることになる。また、オリフィスベース２の外周面にある環状突起２ｄによって、更に気密状に挿着保持することになる。
【００４６】
図５は、上記第２実施形態に係るガスケット一体型セラミックオリフィスプレート１を圧力式流量制御装置へ適用した例を示すものであり、当該圧力式流量制御装置は、圧電素子駆動式のコントロール弁６と、コントロール弁６のボディ７の上流側にボルト（図示省略）により締め付け固定され、ボディ７の上流側の流体通路７ａに連通する入口側流体通路８ａを形成した入口側ブロック８と、ボディ７と入口側ブロック８との間に介設され、両者間をシールするガスケット型フィルタ９と、コントロール弁６のボディ７の下流側にボルト（図示省略）により締め付け固定され、ボディ７の下流側の流体通路７ｂに連通する出口側流体通路１０ａを形成した出口側ブロック１０と、ボディ７と出口側ブロック１０との間に介設され、両者間をシールする流量制御用のガスケット一体型セラミックオリフィスプレート１と、コントロール弁６のボディ７に配設され、ガスケット一体型セラミックオリフィスプレート１の上流側の圧力を検出する圧力センサー１１と、コントロール弁６を制御する制御回路１２等から構成されており、ガスケット一体型セラミックオリフィスプレート１の上流側圧力によりオリフィスを通過する流量を演算しながらコントロール弁６の開閉調整をして、セラミックオリフィスプレートのオリフィスを通過する流体流量を制御するものである。
尚、図５に示した圧力式流量制御装置そのものは公知であるため、ここではその詳細な説明を省略する。
【００４７】
前記ガスケット一体型セラミックオリフィスプレート１は、コントロール弁６のボディ７の下流側端面と出口側ブロック１０の上流側端面とに形成されたオリフィス収納用凹所７ｃ、１０ｂ内に収容されており、ボディ７と出口側ブロック１０とを締め付け固定することにより、ガスケット一体型セラミックオリフィスプレート１がオリフィス収納用凹所７ｃ、１０ｂ内に、気密に収容固定されている。
【００４８】
即ち、図６に示す如く、ボディ７の下流側端面に形成したオリフィス収納用凹所７ｃは、内径が途中で変わる段付の凹所に形成されており、オリフィス収納用凹所７ｃの内径が小さい部分の底面には、第１のオリフィスベース２の外側端面に形成したシール面２ｃに密接状態で食い込んでシールする環状突起７ｄが形成されている。また、オリフィス収納用凹所７ｃの内径が大きい部分の底面には、第２のオリフィスベース３の内側端面に形成したシール面３ｄに密接状態で食い込んでシールする環状突起７ｅが形成されている。
【００４９】
また、出口側ブロック１０の上流側端面に形成したオリフィス収納用凹所１０ｂは、出口側流体通路１０ａの入口側を囲む環状の凹所に形成されており、当該オリフィス収納用凹所１０ｂの底面には、凹形の第２のオリフィスベース３に形成した円形の凹所３ｅに挿入される環状のガスケット押え用突出部１０ｃが形成されている。
尚、このガスケット押え用突出部１０ｃの端面には、凹形の第２のオリフィスベース３の外側端面に形成したシール面３ｃに密接状態で食い込んでシールする環状突起１０ｄが形成されており、このガスケット押え用突出部１０ｃを凹形の第２のオリフィスベース３の凹所３ｅに挿入することにより、ガスケット一体型セラミックオリフィスプレート１の位置合わせが容易に行える。
【００５０】
尚、図６に於いては、第１のオリフィスベース２のシール面２ｃと第２のオリフィスベース３のシール面３ｃとの距離、第１のオリフィスベース２のシール面２ｃと第２のオリフィスベース３のシール面３ｄとの距離、オリフィスベース３のシール面３ｃとシール面３ｄとの距離、ボディ７のオリフィス収納用凹所７ｃの小内径部の底面の深さ及び大内径部の底面の深さ、オリフィス収納用凹所１０ｂの底面のガスケット押え用突出部１０ｃの高さ等は、ボディ７と出口側ブロック１０とをボルトにより締め付け固定したときに、図６に於けるＡ面が先に当たってシールした後、Ｂ面が当たってシールするようになっている。
また、Ａ面とセラミック製オリフィスプレート４のシール部のリーク量が１×１０−４Ｐａ・ｍ３／ｓｅｃ以下に、外部リークとなるＢ面とＣ面のリーク量が１×１０−１０Ｐａ・ｍ３／ｓｅｃ以下になるように夫々設定されている。
【００５１】
［リーク試験］
先ず、セラミック製オリフィスプレート４と嵌合用突部２ｂ等の金属端面間のリーク特性を主として調査するため、リーク試験に供するガスケット一体型セラミックオリフィスプレート１として、図７（a）の如きガスケット一体型セラミックオリフィスプレートを製作した。
【００５２】
即ち、当該試験用のガスケット一体型セラミックオリフィスプレートは、図７（b）に示すように、嵌合用突部２ｂを有する二つの第４のオリフィスベースＢ１及び第５のオリフィスベースＢ２と、両側面に嵌合用凹部３ｂを夫々設けた第３のオリフィスベースAと、セラミック製オリフィスプレート４とを組合せて一体化することにより形成されている。具体的には、第４、第５のオリフィスベースＢ１,Ｂ２の嵌合用突部２ｂ、２bを第３のオリフィスベースAの両側面の嵌合用凹部３ｂ、３ｂ内へ圧入し、セラミック製オリフィスプレート４の両側面を嵌合用突部２ｂ、２ｂ間で挟着することにより、嵌合用突部２ｂ、２ｂ間にセラミック製オリフィスプレート４を気密に保持すると共に、嵌合用突部２ｂの外周面と嵌合用凹部３ｂの内周面間を気密に圧接する構成としている。
【００５３】
尚、図７において、Ｃはリーク検出孔であり、また、試験用オリフィスの両外表面間の全長は８．８mm、オリフィスベースの直径は１０mm、セラミック製オリフィスプレート４の直径３．５mm、セラミック製オリフィスプレート４の厚さ１．５mm、オリフス径は１００μmに設定されている。
また、図７に於ける２ｄ、２ｄ’は嵌合用突部２ｂの外周面に設けた環状突起であり、嵌合用突部２ｂを嵌合用凹部３ｂ内へ圧入したときに、環状突起２ｄ’は嵌合用突部２ｂの外周面と嵌合用凹部３ｂの内周面間の気密性を、また、環状突起２ｄ’は嵌合用突部２ｂの端面とセラミック製オリフィスプレート４の側面間の気密性を、夫々高める作用をする。
【００５４】
更に、図７のリーク試験用のガスケット一体型セラミックオリフィスプレートの製作に際しては、第４、第５のオリフィスベースＢ１、Ｂ２の嵌合用突部２ｂ及び第３のオリフィスベースＡの嵌合用凹部３ｂの形態は、図１乃至図４の場合と同一とし、且つ嵌合用突部２ｂを嵌合用凹部３ｂ内へ圧入する推力を７ｋＮ、８ｋＮ、９ｋＮとした３種類のリーク試験用ガスケット一体型セラミックオリフィスプレートを作成した。
【００５５】
次に、図８に示すように、リーク試験用ガスケット一体型セラミックオリフィスプレートをリーク検査冶具Ｌにセットし、リーク検査冶具Lのボルト締付機構（図示省略）を調整することにより、リーク試験用ガスケット一体型オリフィスプレートに加えるボルト締付トルクを変化させ、各ボルト締付トルクにおける各リーク検出孔からのリークレベルを測定した。
【００５６】
下記の表１は、リーク試験の結果を示すものであり、ボルト締付トルク（kgf・cm）を増加させても、リークレベルは何れも１０−５Pa・m3/sec〜１０−８Pa・m3/sec程度となり、且つリーク試験用ガスケット一体型オリフィスプレートのリークレベルが不安定であって、実用に供することが不可能であることが判明した。
尚、オリフィスベースＢの嵌合用突部２ｂやオリフィスベースＡの嵌合用凹部３ｂの内・外表面やセラミック製オリフィスプレート４と当接する端面は、精密機械加工により表面粗さが鏡面研磨のレベルに仕上げられており、且つセラミック製オリフィスプレート４の外表面も精密研磨加工により表面粗さが鏡面研磨のレベルに仕上げられている。
【００５７】
【表１】
2014119265.tif 000003
【００５８】
次に、リークレベルの高い原因を探るため、試験に供したガスケット一体型セラミックオリフィスプレートを分解し、シール部分をマイクロスコープにより拡大観察すると共にSEM観察をも併せて行ない、その結果から、第３のオリフィスベースＡの嵌合用突部２ｂや第４、第５のオリフィスベースＢ１、Ｂ２の嵌合用凹部３ｂの研磨精度が低いこと、セラミック製オリフィスプレート４の外表面の研磨精度が低いこと、及びセラミック製オリフィスプレート４の研磨面に素材窪みが存在すること等が、リークレベルの高い主原因であることを見出した。
【００５９】
図９及び図１０は、セラミック製オリフィスプレート４に当接する第３のオリフィスベースＡの嵌合用突部２ｂの端面及び第４、第５のオリフィスベースＢ１、Ｂ２の嵌合用凹部３ｂの底面を示すものであり、何れも端面の研磨不良が高リークレベルの原因であることが判明した。
また、図１１及び図１２は、セラミック製オリフィスプレート４の外表面の状態を示すものであり、セラミック製オリフィスプレート４に始めから存在する大きな材料窪みが高リークレベルの原因であることが判明した。尚、この材料窪みは、図１２からも明らかなように相当に深いものであり、セラミック製オリフィスプレート４の外表面の研磨精度を高めても完全に除去することの困難なものが、多数存在することが判明した。
【００６０】
そこで、本発明の発明者等は、第１のオリフィスベース２の嵌合用突部２ｂや第２のオリフィスベース３の嵌合用凹部３ｂの内・外表面を、電解研磨等によって鏡面に仕上げると共に、セラミック製オリフィスプレート４は、ラッピング研磨等によってその外表面を鏡面とした後、更に、マイクロスコープ等による拡大観察により材料窪みの存否を確認し、材料窪みの無いセラミック製オリフィスプレート４を選別使用することにした。図１３は、拡大観察により材料窪みの存否を確認した後の選別されたセラミック製オリフィスプレート４を示すものである。
【００６１】
下記の表２は、上記のようにして鏡面研磨をした第１、第２のオリフィスベース２、３、及び鏡面研磨と材料窪みの有無を選別したセラミック製オリフィスプレート４を用いて製作した試験用ガスケット一体型セラミックオリフィスプレートについてのリーク試験の結果を示すものである。
尚、試験に供したガスケット一体型セラックオリフィスプレートは３種類であり、何れの圧入力によりセラミック製オリフィスプレート４を挟込み固定したものである。
【００６２】
【表２】
2014119265.tif 000004
【００６３】
表２からも明らかなように、何れの試験用ガスケット一体型セラミックオリフィスプレートにあっても、リークレベルが安定しており、且つリークレベル自体が許容される範囲内にあり、実用に供することが可能であることが判明した。
【００６４】
［第３実施形態］
図１４及び図１５は、本願発明に係るガスケット一体型セラミックオリフィスプレートの第３実施形態を示すものであり、中間オリフィスベース５を用いている点のみが、図１乃至図４に示した第１及び第２実施形態に係るガスケット一体型セラミックオリフィスプレートと異なるだけであり、その他の構成は殆ど同じである。
【００６５】
当該第３実施形態に係るガスケット一体型セラミックオリフィスプレート１は、中心部に貫通状の通路２ａを有し、内側端面に嵌合用突部２ｂを備えた第１のオリフィスベース２と、中心部に貫通状の通路３ａを有し、内側端面に嵌合用凹部３ｂを備えた第２のオリフィスベース３と、中心部に貫通状の通路５ａを有し、一端面に嵌合用凹部５ｂを備えていると共に他端面に嵌合用突部５ｃを備えた中間オリフィスベース５と、中心部にオリフィス（図示省略）を形成した小流量用及び大流量用の二枚の第１及び第２のセラミック製オリフィスプレート４′，４″とから構成されており、第１のオリフィスベース２と中間オリフィスベース５と第２のオリフィスベース３とを組合せ、第１のオリフィスベース２と中間オリフィスベース５との間及び第２のオリフィスベース３と中間オリフィスベース５との間に第１及び第２のオリフィスプレート４′，４″を夫々気密状に挿着すると共に、両第１、第２のオリフィスベース２，３の外側端面及び第２のオリフィスベース３の内側端面を夫々シール面２ｃ，３ｃ，３ｄとし、両第１、第２のセラミック製オリフィスプレート４′，４″のシール部からの外部へのリークを防止できるようにしたものである。尚、図１５において、２ｄ’，３ｆ及び５ｆは環状突起である。
【００６６】
又、このガスケット一体型セラミックオリフィスプレート１は、中間オリフィスベース５に当該中間オリフィスベース５の通路５ａに分岐状に連通する分流通路５ｄを形成し、第１のオリフィスベース２と中間オリフィスベース５との間に小流量用の第１のセラミック製オリフィスプレート４′を気密状に挿着すると共に、第２のオリフィスベース３と中間オリフィスベース５との間に大流量用の第２のセラミック製オリフィスプレート４″を挿着することにより、複数の流量調整範囲を有する構成としたものである。
【００６７】
具体的には、第１のオリフィスベース２は、図１５に示す如く、ステンレス材（ＳＵＳ３１６Ｌ−Ｐ（Ｗメルト））により縦断面形状が短い円柱状に形成されており、その中心部には内周面が段付に形成された貫通状の通路２ａが形成されている。
又、第１のオリフィスベース２の内側端面（中間オリフィスベース５に対向する端面）には、外周面が段付に形成された筒状の嵌合用突部２ｂが通路２ａと同心状に突出形成されている。この嵌合用突部２ｂの大径側の外周面及び嵌合用突部２ｂの端面には、中間オリフィスベース５との組合せ時にシール機能を発揮する環状突起２ｄ，２ｄ′が夫々形成されている。更に、第１のオリフィスベース２は、環状に形成された外側端面がガスケット一体型セラミックオリフィスプレート１のシール面２ｃとしての機能を果たすようになっている。
【００６８】
第２のオリフィスベース３は、図１５に示す如く、ステンレス材（ＳＵＳ３１６Ｌ−Ｐ（Ｗメルト））により縦断面形状が凹形の厚肉円盤状に形成されており、その中心部には貫通状の通路３ａが形成されている。
又、凹形の第２のオリフィスベース３の内側端面には、中間オリフィスベース５の嵌合用突部５ｃが気密状に嵌合される嵌合用凹部３ｂが通路３ａと同心状に形成されている。この嵌合用凹部３ｂの内周面は、中間オリフィスベース５の嵌合用突部５ｃが気密状に嵌合されるように段付の内周面に形成されている。
【００６９】
更に、凹形の第２のオリフィスベース３の外側端面には、円形の凹所３ｅが通路３ａと同心状に形成されており、凹形の第２のオリフィスベース３の外側端面に形成した凹所３ｅの底面がガスケット一体型セラミックオリフィスプレート１のシール面３ｃとしての機能を果たすようになっている。前記凹所３ｅは、ガスケット一体型セラミックオリフィスプレート１の位置合わせ（軸心合わせ）を容易にすると共に、シール面３ｃを保護するためのものである。
【００７０】
前記中間オリフィスベース５は、図１５に示す如く、ステンレス材（ＳＵＳ３１６Ｌ−Ｐ（Ｗメルト））により第１のオリフィスベース２の外径と同じ径の円柱状に形成されており、その中心部には第１のオリフィスベース２の通路２ａ及び第２のオリフィスベース３の通路３ａに連通する貫通状の通路５ａが形成されている。
又、中間オリフィスベース５の一端面には、第１のオリフィスベース２の嵌合用突部２ｂが気密状に嵌合される嵌合用凹部５ｂが通路５ａと同心状に形成されている。この嵌合用凹部５ｂの内周面は、第１のオリフィスベース２の嵌合用突部２ｂが気密状に嵌合されるように段付の内周面に形成されている。
【００７１】
更に、中間オリフィスベース５の他端面には、第２のオリフィスベース３の嵌合用凹部３ｂに気密状に嵌合される外周面が段付に形成された筒状の嵌合用突部５ｃが通路５ａと同心状に突出形成されている。この嵌合用突部５ｃの大径側の外周面及び嵌合用突部５ｃの端面には、第２のオリフィスベース３との組合せ時にシール機能を発揮する環状突起５ｅ，５ｅ′が夫々形成されている。
加えて、中間オリフィスベース５の周壁部分には、中間オリフィスベース５の通路５ａに分岐状に連通する分流通路５ｄが形成されている。
【００７２】
前記小流量用及び大流量用の第１、第２のセラミック製オリフィスプレート４′，４″は、第１及び第２実施形態の場合と同じ材質を用いて、同じ形態に形成されていることは勿論であり、  両第１、第２オリフィスプレート４′，４″の外観形状は、円形であっても、或いは他の形状であっても良い。
【００７３】
上記本発明に係るガスケット一体型セラミックオリフィスプレートは、セラミック製オリフィスプレートを使用しているために耐食性に優れ、腐食性ガス管路等に使用した場合でも、安定した流量制御特性等を発揮することができるうえ、セラミック製オリフィスプレートと金属端面間の気密性も、実用に十分耐えるだけのシールレベルを確保することができ、優れた実用的効用を奏するものである。
【産業上の利用可能性】
【００７４】
本願発明は、圧力式流量制御装置のみならず、腐食性流体を取り扱うあらゆる管路や機器類に使用することができるものである。
【符号の説明】
【００７５】
１  ガスケット一体型セラミックオリフィスプレート
２  第１のオリフィスベース
２ａ  オリフィスベースの通路
２ｂ  オリフィスベースの嵌合用突部
２ｃ  オリフィスベースのシール面
２d   環状突起
２d’  環状突起
３  第２のオリフィスベース
３ａ  オリフィスベースの通路
３ｂ  オリフィスベースの嵌合用凹部
３ｃ  オリフィスベースのシール面
３ｄ  オリフィスベースのシール面
３e  凹部
３f  環状突起
４  セラミック製オリフィスプレート
４′  小流量用の第１のセラミック製オリフィスプレート
４″  大流量用の第２のセラミック製オリフィスプレート
５  中間オリフィスベース
５ａ  中間オリフィスベースの通路
５ｂ  中間オリフィスベースの嵌合用凹部
５ｃ  中間オリフィスベースの嵌合用突部
５ｄ  中間オリフィスベースの分流通路
５e  環状突起
５e’  環状突起
５f  環状突起
６  コントロール弁
７  コントロール弁のボディ
７a  流体通路
７b  流体通路
７c  オリフィス収納凹所
７d  環状突起
７e  環状突起
８  入口ブロック
９  フィルタ
１０  出口ブロック
１０a  通路
１０b  オリフィス収納用凹所
１０c  ガスケット押え用突出部
１０d  環状突起
１１  圧力センサー
１２  制御回路
A  第３のオリフィスベース
Ｂ１  第４のオリフィスベース
Ｂ２  第５のオリフィスベース
C  リーク検出孔
D  リーク検出孔
E  リーク検出孔
L  リーク検査冶具
【図１】
2014119265.tif 000005
【図２】
2014119265.tif 000006
【図３】
2014119265.tif 000007
【図４】
2014119265.tif 000008
【図５】
2014119265.tif 000009
【図６】
2014119265.tif 000010
【図７】
2014119265.tif 000011
【図８】
2014119265.tif 000012
【図１４】
2014119265.tif 000013
【図１５】
2014119265.tif 000014
【図１６】
2014119265.tif 000015
【図１７】
2014119265.tif 000016
【図１８】
2014119265.tif 000017
【図９】
2014119265.tif 000018
【図１０】
2014119265.tif 000019
【図１１】
2014119265.tif 000020
【図１２】
2014119265.tif 000021
【図１３】
2014119265.tif 000022
【国際調査報告】
2014119265.tif 000023
2014119265.tif 000024
2014119265.tif 000025
2014119265.tif 000026